(57)【要約】【課題】ストラップ本体をスマートフォンに常時、接続する接続具及び該接続具を備えるスマートフォン用のストラップを提供する。【解決手段】ストラップ１０は、ストラップ本体１１、及び接続具本体１３を備え、接続具本体は、厚さ０．２ｍｍ以下に圧縮可能の紐部材であり、この紐部材の一端がリング１２（又はストラップ本体）に接続され、他端がスマートフォン１のＳＩＭトレイ２に留められ、このＳＩＭトレイをスマートフォンの本体に挿入することでスマートフォンに装着される。紐部材の厚さが０．２ｍｍ以下であることによりスマートフォンの本体とＳＩＭトレイとの間の間隙に通すことができ、紐部材が留められたＳＩＭトレイをスマートフォンの本体に挿入することで、接続具本体を、すなわちストラップをスマートフォンに常時、装着することができる。【選択図】図８
2016093387.tif 000002
【特許請求の範囲】
【請求項１】
ストラップ本体をスマートフォンに接続する接続具であって、
厚さ０．２ｍｍ以下に圧縮可能な紐部材を備え、該紐部材の一端が前記ストラップ本体に接続され、他端が前記スマートフォンのＳＩＭトレイに留められ、該ＳＩＭトレイを前記スマートフォンの本体に挿入することで前記スマートフォンに装着されることを特徴とする接続具。
【請求項２】
前記紐部材の他端は、ＳＩＭカード又は前記ＳＩＭトレイに留められるための粘着性テープを備えることを特徴とする請求項１に記載の接続具。
【請求項３】
前記紐部材は、２ｍｍ以下の幅を有する環状の帯であり、該環状帯の一部を前記ＳＩＭトレイに係止することで前記ＳＩＭトレイに留められることを特徴とする、請求項１に記載の接続具。
【請求項４】
前記紐部材は、幅方向に折畳み可能な帯であることを特徴とする、請求項３に記載の接続具。
【請求項５】
前記紐部材は、直径０．６ｍｍ以下の糸材であることを特徴とする、請求項３に記載の接続具。
【請求項６】
前記紐部材は、幅方向に折畳み又は伸縮可能な部材であり、前記ＳＩＭトレイに設けられた孔部に通すことで前記ＳＩＭトレイに留められることを特徴とする、請求項１に記載の接続具。
【請求項７】
前記紐部材は、直径０．６ｍｍ以下の糸材であり、前記ＳＩＭトレイに設けられた孔部に通すことで前記ＳＩＭトレイに留められることを特徴とする、請求項１に記載の接続具。
【請求項８】
前記紐部材を前記ＳＩＭトレイの孔部に通す通し具をさらに備えることを特徴とする、請求項６又は７に記載の接続具。
【請求項９】
前記ＳＩＭトレイの孔部に挿入して、前記スマートフォンの本体から前記ＳＩＭトレイを取り出す取出棒をさらに備えることを特徴とする、請求項１〜８のいずれか一項に記載の接続具。
【請求項１０】
請求項１〜９のいずれか一項に記載の接続具と、
前記紐部材の一端に接続されるストラップ本体と、
を備えることを特徴とするストラップ。
【発明の詳細な説明】
【技術分野】
【０００１】
本発明は、ストラップ本体をスマートフォンに接続する接続具及び該接続具を備えるストラップに関する。
【背景技術】
【０００２】
携帯電話機に取付けて、手に持ったり鞄から提げたりするための提げ紐（ストラップ）が普及している。ストラップは、携帯電話機の筐体に設けられている孔部（ストラップホール）に接続具、通常環状の紐部材を通し、ひばり結びにより筐体に留めることで、携帯電話機に固定される。しかし、ＩＰＨＯＮＥ（登録商標）をはじめスマートフォンには、ストラップホールが設けられていないものが多い。つまり、スマートフォンにストラップを取り付けるためには特殊な器具が必要となることが多い。
【０００３】
そこで、特許文献１には、スマートフォンのイヤホーンジャックに差し込むことで、スマートフォンにストラップを接続する接続パーツが開示されている。また、スマートフォンの電源ジャックにストラップを接続することも考えられる。しかし、イヤホン或いは充電器を使用する際にストラップを外さなくてはならず、これらの両方を同時に使用することができない。これに対して、特許文献２には、スマートフォンの背面に貼り付けられた面ファスナに係合することで、ストラップをスマートフォンに取り付ける取付部材及びこれを備えるストラップが開示されている。しかし、このストラップでは、スマートフォンを扱う際に不便が生じ得ること、またスマートフォンの美観を損なうことが考えられる。
【先行技術文献】
【特許文献】
【０００４】
【特許文献１】実用新案登録３１７３９１９号公報
【特許文献２】実用新案登録３１７９７３３号公報
【発明の概要】
【発明が解決しようとする課題】
【０００５】
本発明は、ストラップ本体をスマートフォンに常時、接続する接続具及び該接続具を備えるスマートフォン用のストラップを提供することを課題とする。
【課題を解決するための手段】
【０００６】
スマートフォンには、ＳＩＭカードを挿入するためのＳＩＭトレイが設けられている。ＳＩＭトレイは、それに装着されたＳＩＭカードを用いてスマートフォンを利用するため、一度ＳＩＭカードを装着し、スマートフォンに挿入されたら、通常は取り出さずに使用する。ＳＩＭトレイに接続具を係合すれば、上記の問題がなくなり、ストラップをスマートフォンに常時装着することができる。
【０００７】
本発明の接続具は、
ストラップ本体をスマートフォンに接続する接続具であって、
厚さ０．２ｍｍ以下に圧縮可能な紐部材を備え、該紐部材の一端が前記ストラップ本体に接続され、他端が前記スマートフォンのＳＩＭトレイに留められ、該ＳＩＭトレイを前記スマートフォンの本体に挿入することで前記スマートフォンに装着されることを特徴とする。
【０００８】
これによれば、紐部材の厚さが０．２ｍｍ以下に圧縮可能であることによりスマートフォンの本体とＳＩＭトレイとの間の間隙に通すことができ、紐部材が留められたＳＩＭトレイをスマートフォンの本体に挿入することで、接続具をスマートフォンに装着することができる。ここで、「厚さが０．２ｍｍ以下に圧縮可能」とは、外力がない通常の状態において（圧縮せずに）厚さが０．２ｍｍ以下である場合と、外力がない通常の状態においては厚さが０．２ｍｍを超えるが上下からの圧力（例えばスマートフォン本体とＳＩＭトレイからの圧力）によって（圧縮によって）厚さが０．２ｍｍ以下となる場合との、両方を含む。例えば、太さ０．６ｍｍ以下のケブラー糸、太さ０．６ｍｍ以下のテグスは、厚さが０．２ｍｍ以下に圧縮可能な紐部材である。
【０００９】
本発明の接続具は、
前記紐部材の他端は、ＳＩＭカード又は前記ＳＩＭトレイに留められるための粘着性テープを備えることを特徴とする。
【００１０】
これによれば、粘着性テープを用いることで、紐部材をＳＩＭトレイの内部に留めることができ、ＳＩＭトレイによってさらに係止される。
【００１１】
本発明の接続具は、
前記紐部材は、２ｍｍ以下の幅を有する環状の帯であり、該環状帯の一部を前記ＳＩＭトレイに係止することで前記ＳＩＭトレイに留められることを特徴とする。
【００１２】
これによれば、簡易に紐部材をＳＩＭトレイに留めることができる。
【００１３】
本発明の接続具は、
前記紐部材は、幅方向に折畳み可能な帯であることを特徴とする。
【００１４】
これによれば、帯を幅方向に折り畳んでＳＩＭトレイに係止できる幅の紐部材とすることができる。
【００１５】
本発明の接続具は、
前記紐部材は、直径０．６ｍｍ以下の糸材であることを特徴とする。
【００１６】
これによれば、帯を折り畳まずにＳＩＭトレイに係止できる。
【００１７】
本発明の接続具は、
前記紐部材は、幅方向に折畳み又は伸縮可能な部材であり、前記ＳＩＭトレイに設けられた孔部に通すことで前記ＳＩＭトレイに留められることを特徴とする。
【００１８】
これによれば、紐部材が幅方向に折畳み又は伸縮可能な部材であることで、折畳む又は伸縮してＳＩＭトレイの孔部に通して、ＳＩＭトレイに留めることができる。孔部に紐部材が通ることで、確実に係止される。
【００１９】
本発明の接続具は、
前記紐部材は、直径０．６ｍｍ以下の糸材であり、前記ＳＩＭトレイに設けられた孔部に通すことで前記ＳＩＭトレイに留められることを特徴とする。
【００２０】
これによれば、糸材をＳＩＭトレイの孔部に通し、スマートフォン本体とＳＩＭトレイからの圧力によって圧縮して、ＳＩＭトレイに留めることができる。孔部に紐部材が通ることで、確実に係止される。
【００２１】
本発明の接続具は、
前記紐部材を前記ＳＩＭトレイの孔部に通す通し具をさらに備えることを特徴とする。
【００２２】
これによれば、通し具を用いて、紐部材をＳＩＭトレイの孔部に通すことができる。
【００２３】
本発明の接続具は、
前記ＳＩＭトレイの孔部に挿入して、前記スマートフォンの本体から前記ＳＩＭトレイを取り出す取出棒をさらに備えることを特徴とする。
【００２４】
これによれば、取出棒を用いて、スマートフォンの本体からＳＩＭトレイを取り出すことができる。接続具の装着に便利である。
【００２５】
本発明のストラップは、
上記の接続具と、
前記紐部材の一端に接続されるストラップ本体とを備えることを特徴とする。
【００２６】
これによれば、スマートフォンに装着可能なストラップが提供される。
【発明の効果】
【００２７】
本発明の接続具によれば、ストラップ本体をスマートフォンに常時接続することができる。また、本発明のストラップによれば、常時、スマートフォンに装着することができる。
【図面の簡単な説明】
【００２８】
【図１】図１は、ストラップの構成を示す図である。（実施例１）
【図２】図２は、ＳＩＭトレイの構成を示す図である。（実施例１）
【図３】図３は、ストラップ本体をスマートフォンに接続する接続具の構成を示す図である。（実施例２）
【図４】図４は、ストラップ本体をスマートフォンに接続する接続具の構成を示す図である。（実施例３）
【図５】図５は、ストラップ本体をスマートフォンに接続する接続具の構成を示す図である。（実施例４）
【図６】図６は、通し具を示す図である。（実施例４）
【図７】図７は、ストラップ本体をスマートフォンに接続する接続具の構成を示す図である。（実施例５）
【図８】図８は、ストラップ本体をスマートフォンに接続する接続具の構成を示す図である。（実施例５）
【発明を実施するための形態】
【００２９】
以下、本発明の実施例について説明する。実施例１は、本発明の基本構成を示す。実施例２〜５は、個別具体的な構成を示す。
【実施例１】
【００３０】
図１に、図１は、ストラップの構成を示す図である。図１では、ストラップ１０は、スマートフォン１（本体）に装着した状態において示されている。ストラップ１０は、ストラップ本体１１、リング１２、及び接続具本体１３から構成される。
【００３１】
ストラップ本体１１は、これを握持することでスマートフォン１を保持することのできる紐状のショートストラップであり、その一端にはアクセサリ１１ａが固定されている。なお、手首等に通すことのできる環状のショートストラップでもよいし、首に掛けることのできる環状のネットストラップでもよい。
【００３２】
リング１２は、ストラップ本体１１の他端がひばり結びによって取付けられ、ストラップ本体１１に後述する接続具本体１３を接続するためのＯ形状のリングである。リング１２は、一例として金属より構成される。リング１２と接続具本体１３とを合わせて接続具が構成される。（市販されているストラップは、ストラップ本体のみである。ストラップ本体を交換して使用するためには、リング１２と接続具本体１３とがあることが好ましい。）なお、リング１２を設けずに、ストラップ本体１１を接続具本体１３に直接接続してもよい。
【００３３】
接続具本体１３は、ストラップ本体１１をスマートフォン１に接続する紐部材である。接続具本体１３は、一例として、セロハン、樹脂等の材質を用いて成形される、０．２ｍｍ以下の厚さに圧縮可能な紐部材（帯状部材）である。紐部材は１本のみの帯の線状でも、２本の帯を合わせた環状でもよい。１本のみの帯の線状である場合には、一端を１３ｄの箇所でリング１２に結ぶ。リング１２にクリップ等の係止具を設けてもよい。また、リング１２に結ばずに接続具本体１３の両端を結んでもよい。
【００３４】
接続具本体１３はＳＩＭトレイ２に係合されている。具体的な係合の構成例を、実施例２〜４に示すが、いかなる係合方法でもよい。
【００３５】
リング１２には、取出棒１４が付されている。取出棒１４は、直径０．７５ｍｍ程度の金属棒であり、ＳＩＭトレイ２の孔部２ｃに差し込むことによりＳＩＭトレイ２がスマートフォン１から取り出される。なお、取出棒１４は、接続具本体１３に付してもよく、なくてもよい。
【００３６】
図２は、ＳＩＭトレイの構成を示す図である。以下、標準的なスマートフォンに係る、ＳＩＭトレイ２の各部の寸法を概略値で示す。ＳＩＭトレイ２はＳＩＭカードの規格に基づいて設計されるので、多くのスマートフォンにおいてほぼ等しい寸法となると考えられる。
【００３７】
図２（Ａ）に示すように、スマートフォン１には、側面にＳＩＭトレイ２が挿入される挿入部が設けられている。ＳＩＭトレイ２は、トレイ２ａ及び係止部材２ｂから構成される。トレイ２ａは、中央にＳＩＭカード３が嵌め込められる枠体である。
【００３８】
図２（Ｂ）は、図２（Ａ）のＡＢ部分を拡大した図である。係止部材２ｂは、トレイ２ａより大きな幅を有する。トレイ２ａの幅に対し、片側で１．０ｍｍ、他側で２．５ｍｍ突出している。図中Ｄで示す長さが２．５ｍｍである。孔部２ｃの箇所はトレイ２ａから外れてスマートフォン１に接する必要があるため、孔部２ｃの側でより長く突出している。
【００３９】
図２（Ｃ）は、図２（Ａ）のＣ方向から見た拡大図である。スマートフォン１係止部材２ｂの一側に、ＳＩＭ取り出し具（取出棒）を差し入れることのできる孔部２ｃが設けられている。孔部２ｃ直径（図中Ｅで示す）は１ｍｍである。係止部材２ｂがスマートフォン１に挿入された状態において、係止部材２ｂとスマートフォン１の間に、間隙２ｄがある間隙２ｄの幅（図中Ｆで示す）は０．２ｍｍである。
【００４０】
接続具本体１３が、０．２ｍｍ以下の厚みに圧縮可能であるので、間隙２ｄから挿入されて、ＳＩＭトレイに係合され得る。具体的な係合については、実施例２〜４に示す。
【実施例２】
【００４１】
図３は、ストラップ本体をスマートフォンに接続する接続具の構成を示す図である。取出棒１４（又は他の物）を孔部２ｃに挿入し、ＳＩＭトレイ２を取り出す。この状態で、図３（Ａ）に示すように、接続具本体１３の端部の粘着テープ１３ａをＳＩＭカード３に貼付する。なお、ＳＩＭカードは片面に接続用電極を有するので、接続用電極を有さない面に貼付する。粘着テープ１３ａは、ＳＩＭカード３でなくトレイ２ａに貼付してもよい。また、ＳＩＭカード３とトレイ２ａにまたがって貼付してもよい。ここで、接続具本体１３は一本の帯とする。
【００４２】
この状態で接続具本体１３の他側を軽く引きつつ、ＳＩＭトレイ２をスマートフォン１の挿入部に挿入し、スマートフォン１に固定する。接続具本体１３の厚さが０．２ｍｍ以下に圧縮可能であることから、図４（Ｂ）に示すように、接続具本体１３は、間隙２ｄを通って、スマートフォン１に固定される。これにより、接続具本体１３がスマートフォン１に装着される。図４（Ｃ）に、装着後の状態を示す。
【００４３】
なお、接続具本体１３が圧縮されて間隙２ｄを通る場合、スマートフォン１とＳＩＭトレイ２によって圧着固定することもできる。この場合には、粘着テープ１３ａを設けなくてもよい。
【００４４】
その後（前でもよい）、リング１２にストラップ本体１１を係合する。これにより、ストラップ１０は、スマートフォン１に装着される。
【実施例３】
【００４５】
図４は、ストラップ本体をスマートフォンに接続する接続具の構成を示す図である。取出棒１４（又は他の物）を孔部２ｃに挿入し、ＳＩＭトレイ２を取り出す。この状態で、図４（Ａ）に示すように、環状の接続具本体１３の一部を係止部材２ｂの一側に掛ける。ここで、接続具本体１３は２ｍｍ以下の幅を有する環状の帯とする。帯幅が図２（Ｂ）においてＤで示した幅よりも小さく、接続具本体１３を、トレイ２ａと干渉することなく、係止部材２ｂのこの箇所に留めることができる。
【００４６】
この状態で接続具本体１３の他側を軽く引きつつ、ＳＩＭトレイ２をスマートフォン１の挿入部に挿入し、スマートフォン１に固定する。接続具本体１３の厚さが０．２ｍｍ以下であることから、図４（Ｂ）に示すように、接続具本体１３は、間隙２ｄを通って、スマートフォン１に固定される。これにより、接続具本体１３がスマートフォン１に装着される。図４（Ｃ）に、装着後の状態を示す。
【００４７】
その後（前でもよい）、リング１２にストラップ本体１１を係合する。これにより、ストラップ１０は、スマートフォン１に装着される。
【実施例４】
【００４８】
図５は、ストラップ本体をスマートフォンに接続する接続具の構成を示す図である。取出棒１４（又は他の物）を孔部２ｃに挿入し、ＳＩＭトレイ２を取り出す。この状態で、図５（Ａ）に示すように、接続具本体１３の端部を孔部２ｃに通す。ここで、接続具本体１３は２ｍｍ以下の幅を有する一本の帯であり、幅方向に折畳み又は伸縮可能とする。孔部２ｃの径が１ｍｍであるので、接続具本体１３の端部を孔部２ｃに通すことは必ずしも容易ではない。孔部２ｃに接続具本体１３を被せ、その状態で取出棒１４を孔部２ｃに挿入するとよい。
【００４９】
または、通し具１５を使用してもよい。図６は、通し具を示す図である。通し具１５は、取出棒１４と同様にリング１２に付することができる。通し具１５は、裁縫において針孔に糸を通す器具と同様の、略菱形の弾性環状棒である。図６（Ａ）に示す通し具１５を、図６（Ｂ）に示すように孔部２ｃに通す。この状態で、図６（Ｃ）に示すように、接続具本体１３を略菱形の中に入れる。その後、通し具１５を孔部２ｃから抜くと、図６（Ｄ）に示すように接続具本体１３が孔部２ｃに通る。
【００５０】
接続具本体１３を折り返してＳＩＭトレイ２の外側（図において右側）に移動させる。この状態で接続具本体１３の他側を軽く引きつつ、ＳＩＭトレイ２をスマートフォン１の挿入部に挿入し、スマートフォン１に固定する。接続具本体１３の厚さが０．２ｍｍ以下に圧縮可能であることから、図５（Ｂ）に示すように、接続具本体１３は、間隙２ｄを通って、スマートフォン１に固定される。また、接続具本体１３の帯幅が図２（Ｂ）においてＤで示した幅よりも小さく、接続具本体１３はトレイ２ａと干渉することなく留められる。これにより、接続具本体１３がスマートフォン１に装着される。図４（Ｃ）に、装着後の状態を示す。
【００５１】
その後（前でもよい）、リング１２にストラップ本体１１を係合する。これにより、ストラップ１０は、スマートフォン１に装着される。
【実施例５】
【００５２】
図７は、ストラップ本体をスマートフォンに接続する接続具の構成を示す図である。取出棒１４（又は他の物）を孔部２ｃに挿入し、ＳＩＭトレイ２を取り出す。この状態で、図７（Ａ）に示すように、接続具本体１３の端部を孔部２ｃに通す。ここで、接続具本体１３は直径０．６ｍｍのケブラー糸である。接続具本体１３の直径が孔部２ｃの径よりも小さく、容易に通すことができる。なお、直径０．６ｍｍ以下で、厚さが０．２ｍｍ以下に圧縮可能である糸であれば、ケブラー糸、テグス、その他の糸を使用できる。
【００５３】
接続具本体１３を折り返してＳＩＭトレイ２の外側（図において右側）に移動させる。この状態で接続具本体１３の他側を軽く引きつつ、ＳＩＭトレイ２をスマートフォン１の挿入部に挿入し、スマートフォン１に固定する。接続具本体１３の厚さが０．２ｍｍ以下に圧縮可能であることから、図７（Ｂ）に示すように、接続具本体１３は、間隙２ｄを通って、スマートフォン１に固定される。
【００５４】
図７（Ｃ）に、装着後の状態を示す。直径０．６ｍｍのケブラー糸を厚さ０．２ｍｍに圧縮するため、接続具本体１３が幅方向に広がった拡幅部１３ｂができる。図７（Ｄ）に、拡幅部１３ｂ及びその周辺を拡大して示す。厚さ方向で３分の１に圧縮しているため、幅方向にはおよそ３倍に拡幅する。圧縮後の接続具本体１３の帯幅（図中Ｇで示す）はおよそ１．８ｍｍであり、図２（Ｂ）においてＤで示した幅よりも小さい。接続具本体１３はトレイ２ａと干渉することなく留められる。
【００５５】
その後（前でもよい）、リング１２にストラップ本体１１を係合する。これにより、ストラップ１０は、スマートフォン１に装着される。
【００５６】
以上、接続具本体１３の端部を孔部２ｃに通す形態を説明した。直径０．６ｍｍ以下で、厚さが０．２ｍｍ以下に圧縮可能である糸を用いる場合、この他に、実施例３と同様に環状の接続具本体１３の一部を係止部材２ｂの一側に掛ける形態も可能である。図８（Ａ）〜（Ｃ）にこの場合の状態を示す。接続具本体１３が実施例３（図４）よりも細く、拡幅部１３ｂが上下両側にある。
【００５７】
以上詳細に説明したように、本発明のストラップ１０は、ストラップ本体１１、リング１２、及び接続具本体１３を備え、接続具本体１３は、厚さ０．２ｍｍ以下の紐部材であり、この紐部材の一端がストラップ本体１１に接続され、他端がスマートフォン１のＳＩＭトレイ２に留められ、このＳＩＭトレイ２をスマートフォン１の本体に挿入することでスマートフォン１に装着される。紐部材の厚さが０．２ｍｍ以下に圧縮可能であることによりスマートフォン１の本体とＳＩＭトレイ２との間の間隙に通すことができ、紐部材が留められたＳＩＭトレイ２をスマートフォン１の本体に挿入することで、接続具本体１３を、すなわちストラップ１０をスマートフォン１に常時、装着することができる。
【産業上の利用可能性】
【００５８】
本発明の接続具は、ストラップ本体をスマートフォンに接続するのに好適である。本発明のストラップは、常時、スマートフォンに装着するのに好適である。多くの個人による利用が考えられる。
【符号の説明】
【００５９】
１    スマートフォン
２    ＳＩＭトレイ
２ａ  トレイ
２ｂ  係止部材
２ｃ  孔部
２ｄ  間隙
３    ＳＩＭカード
１０    ストラップ
１１    ストラップ本体
１１ａ  アクセサリ
１２    リング
１３    接続具本体
１３ａ  粘着性テープ
１４    取出棒
１５    通し具
【図１】
2016093387.tif 000003
【図２】
2016093387.tif 000004
【図３】
2016093387.tif 000005
【図４】
2016093387.tif 000006
【図５】
2016093387.tif 000007
【図６】
2016093387.tif 000008
【図７】
2016093387.tif 000009
【図８】
2016093387.tif 000010